(57)【特許請求の範囲】
【請求項１】
着信時、着信メロディ記憶部に記憶されている複数の着信メロディのうち、ユーザの選択した着信メロディを鳴動させる着信報知装置において、複数のメロディパターンを記憶するメロディデータ記憶部、このメロディデータ記憶部に記憶した複数のメロディパターンの中から２以上のメロディパターンをランダムに選択し、繋ぎあわせることにより着信メロディを作成する作成部、この作成部の作成した着信メロディを上記着信メロディ記憶部に記憶させる制御部を備えたことを特徴とする着信報知装置。
【請求項２】
着信時、着信メロディ記憶部に記憶されている複数の着信メロディのうち、ユーザの選択した着信メロディを鳴動させる着信報知装置において、複数のメロディパターンを記憶するメロディデータ記憶部、このメロディデータ記憶部に記憶した複数のメロディパターンの中から２以上のメロディパターンをランダムに選択し、繋ぎあわせることにより着信メロディを作成する作成部、この作成部の作成した着信メロディを転調する転調部、この転調部により転調された着信メロディを上記着信メロディ記憶部に記憶させる制御部を備えたことを特徴とする着信報知装置。
【請求項３】
着信時、複数の着信メロディのうち、ユーザの選択した着信メロディを鳴動させる着信報知装置において、発信相手先の電話番号を記憶するダイヤル記憶部、複数のメロディパターンを記憶するメロディデータ記憶部、着信したとき、発信者の電話番号が上記ダイヤル記憶部に記憶された電話番号か判定する判定部、この判定部が上記ダイヤル記憶部に記憶された電話番号と判定したとき、上記メロディデータ記憶部に記憶した複数のメロディパターンの中から当該電話番号を用いて２以上のメロディパターンを選択し、繋ぎあわせることにより着信メロディを作成する作成部、この作成部の作成した着信メロディを鳴動させて着信を報知する鳴動手段を備えたことを特徴とする着信報知装置。
【請求項４】
着信時、複数の着信メロディのうち、ユーザの選択した着信メロディを鳴動させる着信報知装置において、発信相手先の電話番号を記憶するダイヤル記憶部、複数のメロディパターンを記憶するメロディデータ記憶部、着信したとき、発信者の電話番号が上記ダイヤル記憶部に記憶された電話番号か判定する判定部、この判定部が上記ダイヤル記憶部に記憶された電話番号と判定したとき、上記メロディデータ記憶部に記憶した複数のメロディパターンの中から当該電話番号を用いて２以上のメロディパターンを選択し、繋ぎあわせることにより着信メロディを作成する作成部、この作成部の作成した着信メロディを転調する転調部、この転調部により転調された着信メロディを鳴動させて着信を報知する鳴動手段を備えたことを特徴とする着信報知装置。
【請求項５】
乱数発生部を有し、作成部は乱数発生部から得られる乱数によりメロディパターンを選択することを特徴とする請求項１又は２記載の着信報知装置。
【請求項６】
メロディデータ記憶部は、音楽のジャンル毎に複数のメロディパターンを記憶しており、操作者の指定する所定のジャンルにより作成部は、上記所定のジャンル内のメロディパターンを繋ぎ合わせて着信メロディを作成することを特徴とする請求項１〜４の何れかに記載の着信報知装置。
【発明の詳細な説明】
【０００１】
【発明の属する技術分野】
この発明は、携帯電話機等が着信を受けたとき、着信を報知する着信報知装置に関する。
【０００２】
【従来の技術】
携帯電話機にあっては、小型、軽量化が進み、かつ、操作者に便利な機能が充実化されてきており、益々、普及拡大が期待されている。携帯電話機は、何時でも何処でも発信着信ができるものであり、便利なものであるが、どの機種も着信音が類似しており、近辺で着信音が鳴動すると所持している携帯電話機に着信していなくても着信しているのかどうか確認する光景をよく見かける。
そこで、自分が所持している携帯電話機が着信していることを聞き分けることができるようにするために着信音をメロディ音にしたものが提案されている。
【０００３】
【発明が解決しようとする課題】
従来、着信音をメロディ音とした着信メロディは、メーカ側で予め決められた数曲のメロディ音を登録したもの及び操作者がメロディをキー操作により入力して登録するようにしたものがある。
しかしながら、メーカ側で予め決められた数曲のメロディ音を登録したものにあっては、数が限定されており、自分の携帯電話機に着信していることの確認が判りやすくなったものの、同じメロディ音を使用するケースがあることから充分な確認ができず、依然として問題点を残している。
一方、操作者がメロディをキー操作により入力して登録するようにしたものにあっては、オリジナルの着信メロディとすることができ、上記の問題点を解消し得る一つの方策であったが、キー操作によるメロディ作成には手間がかかり、かつ、音楽に知識のない人にはメロディの作成が困難であった。
【０００４】
この発明は、係る問題点を解消するためになされたもので、音楽に知識のない人でもオリジナルの着信メロディを容易に作成できるようにすることを目的としている。
【０００５】
【課題を解決するための手段】
この発明の請求項１に係る着信報知装置は、着信時、複数の着信メロディのうち、ユーザの選択した着信メロディ記憶部に記憶されている着信メロディを鳴動させる着信報知装置において、複数のメロディパターンを記憶するメロディデータ記憶部、このメロディデータ記憶部に記憶した複数のメロディパターンの中から２以上のメロディパターンをランダムに選択し、繋ぎあわせることにより着信メロディを作成する作成部、この作成部の作成した着信メロディを上記着信メロディ記憶部に記憶させる制御部から構成したものである。
【０００６】
この発明の請求項２に係る着信報知装置は、着信時、複数の着信メロディのうち、ユーザの選択した着信メロディ記憶部に記憶されている着信メロディを鳴動させる着信報知装置において、複数のメロディパターンを記憶するメロディデータ記憶部、このメロディデータ記憶部に記憶した複数のメロディパターンの中から２以上のメロディパターンをランダムに選択し、繋ぎあわせることにより着信メロディを作成する作成部、この作成部の作成した着信メロディを転調する転調部、この転調部により転調された着信メロディを上記着信メロディ記憶部に記憶させる制御部から構成したものである。
【０００７】
この発明の請求項３に係る着信報知装置は、着信時、複数の着信メロディのうち、ユーザの選択した着信メロディを鳴動させる着信報知装置において、発信相手先の電話番号を記憶するダイヤル記憶部、複数のメロディパターンを記憶するメロディデータ記憶部、着信したとき、発信者の電話番号が上記ダイヤル記憶部に記憶された電話番号か判定する判定部、この判定部が上記ダイヤル記憶部に記憶された電話番号と判定したとき、上記メロディデータ記憶部に記憶した複数のメロディパターンの中から当該電話番号を用いて２以上のメロディパターンを選択し、繋ぎあわせることにより着信メロディを作成する作成部、この作成部の作成した着信メロディを鳴動させて着信を報知する鳴動手段から構成したものである。
【０００８】
この発明の請求項４に係る着信報知装置は、着信時、複数の着信メロディのうち、ユーザの選択した着信メロディを鳴動させる着信報知装置において、発信相手先の電話番号を記憶するダイヤル記憶部、複数のメロディパターンを記憶するメロディデータ記憶部、着信したとき、発信者の電話番号が上記ダイヤル記憶部に記憶された電話番号か判定する判定部、この判定部が上記ダイヤル記憶部に記憶された電話番号と判定したとき、上記メロディデータ記憶部に記憶した複数のメロディパターンの中から当該電話番号を用いて２以上のメロディパターンを選択し、繋ぎあわせることにより着信メロディを作成する作成部、この作成部の作成した着信メロディを転調する転調部、この転調部により転調された着信メロディを鳴動させて着信を報知する鳴動手段から構成したものである。
【０００９】
この発明の請求項５に係る着信報知装置は、請求項１又は２記載の着信報知装置であって、乱数発生部を有し、作成部は乱数発生部から得られる乱数によりメロディパターンを選択するように構成したものである。
【００１０】
この発明の請求項６に係る着信報知装置は、請求項１〜４の何れかに記載の着信報知装置であって、メロディデータ記憶部は、音楽のジャンル毎に複数のメロディパターンを記憶しており、操作者の指定する所定のジャンルにより作成部は、上記所定のジャンル内のメロディパターンを繋ぎ合わせて着信メロディを作成するように構成したものである。
【００１１】
【発明の実施の形態】
実施の形態１．
図１は、この発明の実施の形態１を示す携帯電話機のブロック図であり、１はアンテナ、２は受信部及び発信部からなる無線部、３はＣＰＵ等で構成される制御部、４は操作キーからなる入力装置、５はこの入力装置４のキー入力文字及び操作ガイド等を表示するＬＣＤ等の画像表示装置、６は音声制御部、７はこの音声制御部６で処理された受信音声信号を拡声するスピーカ、８は発信する音声を集音し音声制御部６に音声信号として入力するマイク、９は乱数発生部、１０は記憶部で、作曲用のメロディデータを記憶するＲＯＭからなるメロディデータ記憶領域１１と、着信時に鳴動する着信メロディを記憶するＲＡＭからなる着信メロディ記憶領域１２とからなる。
【００１２】
次に、動作について説明する。
自局電話番号に着信があったとき、制御部３はアンテナ１、無線部２を介して受信した電話番号が制御部３内の図示しない記憶部に記憶した自局電話番号か否かを判定し、自局電話番号であった場合、着信メロディ記憶領域１２の着信メロディデータを読み出し、音声制御部６に送出する。音声制御部６は制御部３を介して入力した着信メロディデータにしたがい、スピーカ７及び図示しないリンガーを起動し着信メロディを鳴動させる。これにより、操作者に着信を報知する。
【００１３】
次に着信メロディを作成する手順について説明する。
メロディデータ記憶領域１１は図２に示すようにポップス、沖縄民謡等、幾つかの音楽のジャンル毎にメロディデータを記憶している。そして、各ジャンルには、例えばポップスにはパターンＡ〜Ｎ迄の複数のパターンがあり、さらに、各パターンにはＮｏ．１〜Ｎｏ．５迄の５つのメロディパターンが記憶されている。図３はパターンＡのＮｏ．１〜Ｎｏ．５の曲（メロディパターン）を示しており、各曲は８つの音を１小節として８つの小節で一つのパターンＮｏ．を構成している。
【００１４】
図４は１小節の一例を示したもので、具体的にそのデータ内容を説明すると、１番目の音２１は高いオクターブのミの音、２番目の音２２は無音、３番目の音２３は高いオクターブのミの音、４番目の音２４は前の音（３番目の高いオクターブのミの音）の継続であり、５番目の音２５は中のオクターブのラの音、６番目の音２６は中のオクターブのシの音、７番目の音２７は高いオクターブのドの音、８番目の音２８は高いオクターブのレの音である。このように、メロディデータ記憶領域１１に記憶された音のデータは中及び高の２オクターブの範囲のデータとしている。また、各音は１００ｍｓ鳴動させるもので、１小節で８００ｍｓの鳴動が得られるようになっている。
【００１５】
即ち、図５に示すフローチャートに示すように、操作者が入力装置４のキー操作により着信メロディの作成メニューを選択すると、画像表示装置５に音楽ジャンルの選択画面が表示される。操作者が選択画面から好みのジャンルを選択すると（ステップＳＴ１）、制御部３がメロディデータ記憶領域１１のデータ及び乱数発生部９の乱数を用いて選択したジャンルの着信メロディを自動作曲する（ステップＳＴ２）。
【００１６】
図６はステップＳＴ２の詳細フローを示したもので、図６に従って自動作曲の手順を説明すると、まず、制御部３は、操作者が選択したジャンルの中でどのパターンを使うかを乱数発生部９の乱数で決定する（ステップＳＴ２１）。例えば、操作者がポップスのジャンルを選択し、制御部３が乱数により使用するパターンをパターンＡに決定したとすると、図３に示すメロディデータを使用することになる。
【００１７】
次に、制御部３は小節数Ｎを１とし（ステップＳＴ２２）、再度乱数発生部９の乱数を用いて１小節目の曲データを選択する（ステップＳＴ２３）。仮に、図３のメロディデータの中から１小節目の曲データとしてＮｏ．１が選択されたとすると、図中の符号１１ａのデータが読み出され、制御部３の記憶部（図示せず）に書き込まれる。次に、ステップＳＴ２４で現在作成した小節数と着信メロディの小節の総数（ここでは総数を８小節とする。）とが比較され、小節数Ｎが１であるので、ステップＳＴ２５でＮに１が加算され、ステップＳＴ２３の処理が繰り返される。即ち、乱数発生部９の乱数を用いて２小節目の曲データを選択する（ステップＳＴ２３）。
【００１８】
２小節目の曲データとしてＮｏ．２が選択されたとすると、図３中の符号１１ｂのデータが読み出され、制御部３の記憶部に書き込まれる。同様にステップＳＴ２３〜ステップＳＴ２５の処理が実行され８小節の曲データが制御部３内の記憶部に記憶されたとすると、ステップＳＴ２４の判断結果がＹＥＳとなり、制御部３は記憶している８小節の曲の調（キー）を乱数発生部９の乱数で決定し、転調する（ステップＳＴ２６）。ここで行う転調は１オクターブ下げる転調で、乱数により下げるか、そのままのキーにしておくかを決定する。また、転調は音毎にしても、小節毎にしても良い。この転調の処理を行うことにより、メロディデータ記憶領域１１に記憶している音は高中の２オクターブであるが、作成したメロディを３オクターブに音域を広げることができ、聞き易いメロディにすることができる。
【００１９】
次に、図５のステップＳＴ２で着信メロディを作成すると、制御部３はその着信メロディの曲データを音声制御部６に送出し、スピーカ７及び図示しないリンガーにより作成した着信メロディを鳴動させる（ステップＳＴ３）。操作者はその着信メロディを聞き、着信音として登録するか、否かを判断し入力装置４から判断結果を入力する。登録しない場合は、再度ステップＳＴ１〜ステップＳＴ３の処理を実行し、登録する場合は入力装置４からのキー操作で登録番号を入力する（ステップＳＴ５）。キー操作により、制御部３は入力された登録番号に対応する着信メロディ記憶領域１２のアドレスに作成した着信メロディを記憶させる。
ここで、着信メロディ記憶領域１２には、幾つかの着信メロディを記憶できるようにしており、操作者が入力装置４のキー入力により選択できるようになっている。
【００２０】
実施の形態２．
上記実施の形態１では、着信メロディを予め作成記憶しておき、着信時に記憶している着信メロディを鳴動させるものとしたが、着信時、発信相手の電話番号を乱数として用い、メロディデータ記憶領域１１のデータとで着信メロディを作成し、鳴動させるものとしても良い。即ち、制御部３には発信用にダイヤル番号を記憶するダイヤル記憶部（図示せず。）がある。着信時、発信相手の電話番号がダイヤル記憶部に記憶している電話番号であった場合、当該電話番号とメロディデータ記憶領域１１のデータとで着信メロディを作成し、鳴動させるようにすれば、操作者は着信音で発信相手を認識することができる。
また、着信メロディを作成する発信相手を予め決めてダイヤル記憶部に登録しておき、特定の発信相手からの着信時のみ作成、鳴動させるようにしても良い。
【００２１】
なお、上記実施の形態１では乱数発生部９を設けるものとしているが、携帯電話機のＩＤＲＯＭ内の情報データを乱数のキーとして使用しても良い。
また、上記実施の形態では携帯電話機に本発明を適用したものについて説明したが、固定電話であっても適用可能であり、かつ、ポケベル等の携帯端末であっても良い。
【００２２】
【発明の効果】
以上述べたように、この発明によれば、音楽に知識のない人でもオリジナルの着信メロディを容易に作成でき、自分が所持している携帯電話機等が着信していることを聞き分けることができる効果がある。
【図面の簡単な説明】
【図１】この発明の実施の形態１を示すブロック図である。
【図２】この発明に係るメロディデータ記憶領域に記憶したジャンル別のメロディパターンを示す図である。
【図３】この発明に係るメロディパターンの詳細を示す図である。
【図４】この発明に係るメロディパターンの１小節分の内容を示す図である。
【図５】この発明に係る着信メロディを作成する手順を示すフローチャートである。
【図６】この発明に係る着信メロディを作成する手順の要部を示すフローチャートである。
【符号の説明】
１  アンテナ、  ２  無線部、  ３  制御部、  ６  音声制御部、  １０  記憶部、  １１  メロディデータ記憶領域、  １２  着信メロディ記憶領域。
【図１】
0003587047.tif 000002
【図２】
0003587047.tif 000003
【図３】
0003587047.tif 000004
【図４】
0003587047.tif 000005
【図５】
0003587047.tif 000006
【図６】
0003587047.tif 000007